(57)【要約】【課題】出力元機器が外部機器に接続された後、映像信号の出力元機器として選択されていない状態から出力元機器として選択された状態に変化した場合にも、外部機器が有する性能に見合った画質の映像信号を出力することが可能な映像信号出力機器を提供する。【解決手段】この再生装置１０（映像信号出力機器）は、映像信号の出力先となるテレビジョン装置３０との間で通信可能に構成された通信部１８と、テレビジョン装置３０側で映像信号の出力元機器として選択されたアクティブ状態であるか否かを判別して出力元機器として選択されたアクティブ状態であると判断した場合に、再生装置１０とテレビジョン装置３０との間のＨＤＣＰ認証処理を行う制御部１１とを備える。【選択図】図２
2014045326.tif 000002
【特許請求の範囲】
【請求項１】
映像信号の出力先となる外部機器との間で通信可能に構成された通信部と、
前記外部機器側で前記映像信号の出力元機器として選択された状態であるか否かを判別して前記出力元機器として選択された状態であると判断した場合に、前記出力元機器と前記外部機器との間の相互認証処理を行う制御部とを備える、映像信号出力機器。
【請求項２】
前記制御部は、前記映像信号出力機器が前記出力元機器として選択された状態であると判断した場合に行われる前記出力元機器と前記外部機器との間の相互認証が成功しなかったことに基づいて、前記外部機器に出力される前記映像信号を調整する制御を行うように構成されている、請求項１に記載の映像信号出力機器。
【請求項３】
前記制御部は、前記出力元機器と前記外部機器との間の相互認証が成功しない場合に、前記外部機器に出力される前記映像信号の色深度および解像度の少なくとも一方を調整する制御を行うように構成されている、請求項１または２に記載の映像信号出力機器。
【請求項４】
前記制御部は、前記出力元機器と前記外部機器との間の相互認証が成功するまで、前記色深度および前記解像度の少なくとも一方を段階的に変更しながら各々の変更値のもとで相互認証の試行を都度繰り返す制御を行うように構成されており、
前記制御部は、前記色深度または前記解像度の一方を第１の値まで低下させた状態で前記相互認証が成功しない場合に、前記一方を前記第１の値に維持した状態で、前記色深度または前記解像度の他方を第２の値まで段階的に低下させながら各変更値のもとで相互認証の試行を都度繰り返す制御を行うように構成されている、請求項３に記載の映像信号出力機器。
【請求項５】
前記制御部は、前記色深度または前記解像度の一方を前記第１の値に維持した状態で前記色深度または前記解像度の他方を前記第２の値まで低下させた状態で相互認証が成功した場合に、再度、前記第１の値に変更されていた前記色深度または前記解像度の一方を前記第１の値から段階的に上昇させながら各変更値のもとで相互認証の試行を都度繰り返す制御を行うように構成されている、請求項４に記載の映像信号出力機器。
【請求項６】
前記映像信号は、３次元映像信号を含み、
前記制御部は、前記色深度または前記解像度の一方を前記第１の値まで低下させた状態で相互認証が成功しない場合において、前記３次元映像信号が前記外部機器に出力される状態であると判断した際、前記色深度または前記解像度の一方を前記第１の値に維持した状態で前記色深度または前記解像度の他方を前記第２の値まで段階的に低下させながら各変更値のもとで相互認証の試行を都度繰り返す制御を行う前に、前記３次元映像信号を２次元映像信号に変更した状態で相互認証を試行させる制御を行うように構成されている、請求項４または５に記載の映像信号出力機器。
【請求項７】
前記出力元機器と前記外部機器とは、ＨＤＭＩ規格に基づいて通信可能に接続されており、
前記制御部は、前記映像信号出力機器が前記出力元機器として選択された状態であるか否かをＨＤＭＩ規格に基づく制御信号を用いて判別する制御を行うように構成されている、請求項１〜６のいずれか１項に記載の映像信号出力機器。
【請求項８】
映像を出力する外部機器と、
映像信号の出力先となる外部機器との間で通信可能に構成された通信部と、前記外部機器側で前記映像信号の出力元機器として選択された状態であるか否かを判別して前記出力元機器として選択された状態であると判断した場合に、前記出力元機器と前記外部機器との間の相互認証処理を行う制御部とを含む映像信号出力機器とを備える、映像出力システム。
【発明の詳細な説明】
【技術分野】
【０００１】
この発明は、映像信号出力機器および映像出力システムに関し、特に、外部機器との間で通信可能に構成された通信部を備えた映像信号出力機器および映像出力システムに関する。
【背景技術】
【０００２】
従来、外部機器との間で通信可能に構成された通信部を備えた映像記録媒体再生装置およびこれを用いた映像視聴システムが知られている（たとえば、特許文献１参照）。
【０００３】
上記特許文献１には、ＨＤＭＩケーブルを介して映像表示装置（外部機器）に接続される映像記録媒体再生装置（映像信号出力機器）、および、この映像記録媒体再生装置と映像表示装置とを備えた映像視聴システム（映像出力システム）が開示されている。この映像記録媒体再生装置は、接続後の映像表示装置との相互認証（ＨＤＣＰ認証）が成功しなかった場合に、映像記録媒体再生装置から映像表示装置へ出力される映像信号のビット数（色深度）および解像度を段階的に下げながらＨＤＣＰ認証が成功するまで認証処理を繰り返すように構成されている。なお、認証の不成功時にビット数および解像度を段階的に下げる調整制御を含めた処理動作は、映像記録媒体再生装置が映像表示装置に接続された時点で自動的に行われるように構成されている。
【先行技術文献】
【特許文献】
【０００４】
【特許文献１】特開２０１１−１６０２４５号公報
【発明の概要】
【発明が解決しようとする課題】
【０００５】
上記特許文献１に記載された映像記録媒体再生装置および映像視聴システムでは、映像記録媒体再生装置が映像表示装置側で映像信号の出力元機器として選択された状態（アクティブ状態）か否かに関係なく、この映像記録媒体再生装置が映像表示装置に接続された時点で認証処理が自動的に行われる。すなわち、この映像記録媒体再生装置が出力元機器として選択されていない非アクティブ状態でも、認証不成功時にビット数および解像度を下げる映像信号の調整を含めた処理動作が行われる。ここで、ＨＤＣＰ認証などの相互認証は、機器同士の相性や接続状態（アクティブ状態か非アクティブ状態か）などに依存して成功したり成功しなかったりと安定しない場合がある。したがって、非アクティブ状態（この映像記録媒体再生装置から見た場合に、映像表示装置に他の接続機器が接続されるかまたは映像表示装置自身が単独でテレビジョン映像などを出力する状態）において自動的に相互認証が行われた際に決定されたビット数（色深度）や解像度などの映像信号条件と、仮にアクティブ状態となって相互認証が行われた場合に決定される映像信号条件とが異なる場合もありうる。このため、非アクティブ状態で事前に決定されていた映像信号条件の下での映像信号がアクティブ状態において外部機器（映像表示装置）に出力された場合、必要以上にビット数や解像度が下げられた映像信号が出力される虞がある。この場合、ユーザは、外部機器（映像表示装置）が本来持ち合わせている表示性能に満たないような画質の映像を視聴する状況に陥る。
【０００６】
この発明は、上記のような課題を解決するためになされたものであり、この発明の１つの目的は、出力元機器が外部機器に接続された後、映像信号の出力元機器として選択されていない状態から出力元機器として選択された状態に変化した場合にも、外部機器が有する性能に見合った画質の映像信号を出力することが可能な映像信号出力機器および映像出力システムを提供することである。
【課題を解決するための手段】
【０００７】
この発明の第１の局面による映像信号出力機器は、映像信号の出力先となる外部機器との間で通信可能に構成された通信部と、外部機器側で映像信号の出力元機器として選択された状態であるか否かを判別して出力元機器として選択された状態であると判断した場合に、出力元機器と外部機器との間の相互認証処理を行う制御部とを備える。
【０００８】
この発明の第１の局面による映像信号出力機器では、上記のように、外部機器側で映像信号の出力元機器として選択された状態であるか否かを判別して出力元機器として選択された状態であると判断した場合に、出力元機器と外部機器との間の相互認証処理を行う制御部を備えることによって、映像信号出力機器が確実に外部機器に対する出力元機器となった状態（いわゆるアクティブ状態）で機器間の相互認証処理が行われるので、たとえば、相互認証とともに出力元機器から出力される映像信号の色深度（ビット数）や解像度などの諸設定値を、実際にアクティブ状態となった条件下での外部機器の性能に基づいて最適な値となるように確実に設定することができる。すなわち、映像信号出力機器（出力元機器）が外部機器に接続された後、映像信号の出力元機器として選択されていない状態（非アクティブ状態）から出力元機器として選択された状態（アクティブ状態）に変化したタイミングで相互認証処理が行われるので、非アクティブ状態からアクティブ状態に変化した場合にも外部機器が有する性能に見合った画質の映像信号を映像信号出力機器から出力することができる。この結果、ユーザは、外部機器が有する性能に見合った画質の映像を視聴することができる。
【０００９】
上記第１の局面による映像信号出力機器において、好ましくは、制御部は、映像信号出力機器が出力元機器として選択された状態であると判断した場合に行われる出力元機器と外部機器との間の相互認証が成功しなかったことに基づいて、外部機器に出力される映像信号を調整する制御を行うように構成されている。このように構成すれば、映像信号出力機器が出力元機器として選択された状態（アクティブ状態）において映像信号出力機器からの映像信号を調整することにより映像信号出力機器（出力元機器）と外部機器との間の相互認証を成功させる映像信号条件を容易に探し出すことができる。これにより、ユーザは、相互認証が成功した条件下で外部機器が有する性能を極力発揮させるように調整された映像信号に基づいて、外部機器から出力される映像を視聴することができる。
【００１０】
上記第１の局面による映像信号出力機器において、好ましくは、制御部は、出力元機器と外部機器との間の相互認証が成功しない場合に、外部機器に出力される映像信号の色深度および解像度の少なくとも一方を調整する制御を行うように構成されている。このように構成すれば、映像信号に含まれる色深度および解像度の少なくとも一方を調整することにより、出力元機器と外部機器との間の相互認証を成功させるための映像信号条件を容易に探し出すことができる。
【００１１】
上記映像信号の色深度および解像度の少なくとも一方を調整する制御を行う構成において、好ましくは、制御部は、出力元機器と外部機器との間の相互認証が成功するまで、色深度および解像度の少なくとも一方を段階的に変更しながら各々の変更値のもとで相互認証の試行を都度繰り返す制御を行うように構成されており、制御部は、色深度または解像度の一方を第１の値まで低下させた状態で相互認証が成功しない場合に、一方を第１の値に維持した状態で、色深度または解像度の他方を第２の値まで段階的に低下させながら各変更値のもとで相互認証の試行を都度繰り返す制御を行うように構成されている。このように構成すれば、映像信号に含まれる色深度および解像度を変更する際に、一方の設定値を第１の値まで低下させつつ他方の設定値を第２の値まで低下させながら、変更後の色深度と解像度との組み合わせにおいてその都度相互認証を試行させることができる。これにより、色深度および解像度の双方を極力低下させる（より低い設定値へと落とす）ことなく相互認証が成功する映像信号条件を探し出すことができる。
【００１２】
この場合、好ましくは、制御部は、色深度または解像度の一方を第１の値に維持した状態で色深度または解像度の他方を第２の値まで低下させた状態で相互認証が成功した場合に、再度、第１の値に変更されていた色深度または解像度の一方を第１の値から段階的に上昇させながら各変更値のもとで相互認証の試行を都度繰り返す制御を行うように構成されている。このように構成すれば、色深度または解像度の一方が第１の値でありかつ他方が第２の値の組み合わせで相互認証が一旦成功した映像信号条件から、再度、第１の値と第２の値よりも高い値（より大きい色深度または解像度）との組み合わせで相互認証が成功する別な映像信号条件（外部機器の性能を極力損ねない、より有利な映像信号条件）を探すことができる。これにより、第１の値と第２の値よりも高い値（より大きい色深度または解像度）との組み合わせで相互認証が成功した場合には、色深度および解像度を極力低下させることのないより高精細な映像を外部機器から出力させることができる。
【００１３】
上記映像信号の色深度および解像度の少なくとも一方を調整する制御を行う構成において、好ましくは、映像信号は、３次元映像信号を含み、制御部は、色深度または解像度の一方を第１の値まで低下させた状態で相互認証が成功しない場合において、３次元映像信号が外部機器に出力される状態であると判断した際、色深度または解像度の一方を第１の値に維持した状態で色深度または解像度の他方を第２の値まで段階的に低下させながら各変更値のもとで相互認証の試行を都度繰り返す制御を行う前に、３次元映像信号を２次元映像信号に変更した状態で相互認証を試行させる制御を行うように構成されている。このように構成すれば、色深度または解像度の他方を変更することなく３次元映像信号を２次元映像信号に変更するだけで相互認証が成功する映像信号条件を探し出すことができる。すなわち、３次元映像信号を２次元映像信号に変更したことで相互認証が成功した場合には、色深度または解像度の一方を低下させても他方を低下させることのない高精細な映像を外部機器から出力させることができる。
【００１４】
上記第１の局面による映像信号出力機器において、好ましくは、出力元機器と外部機器とは、ＨＤＭＩ規格に基づいて通信可能に接続されており、制御部は、映像信号出力機器が出力元機器として選択された状態であるか否かをＨＤＭＩ規格に基づく制御信号を用いて判別する制御を行うように構成されている。このように構成すれば、ＨＤＭＩ規格に基づくＣＥＣ信号などの制御信号（制御コマンド）を適切に利用して、映像信号出力機器が外部機器側で映像信号の出力元機器として選択された状態（アクティブ状態）であるか否かを容易に判別することができる。
【００１５】
この発明の第２の局面による映像出力システムは、映像を出力する外部機器と、映像信号の出力先となる外部機器との間で通信可能に構成された通信部と、外部機器側で映像信号の出力元機器として選択された状態であるか否かを判別して出力元機器として選択された状態であると判断した場合に、出力元機器と外部機器との間の相互認証処理を行う制御部とを含む映像信号出力機器とを備える。
【００１６】
この発明の第２の局面による映像出力システムでは、上記のように、映像信号出力機器が、外部機器側で映像信号の出力元機器として選択された状態であるか否かを判別して出力元機器として選択された状態であると判断した場合に、出力元機器と外部機器との間の相互認証処理を行う制御部を含むことによって、映像信号出力機器が確実に外部機器に対する出力元機器となった状態で機器間の相互認証処理が行われるので、たとえば、相互認証とともに出力元機器から出力される映像信号の色深度（ビット数）や解像度などの諸設定値を、実際にアクティブ状態となった条件下での外部機器の性能に基づいて最適な値に確実に設定することができる。すなわち、映像信号出力機器（出力元機器）が外部機器に接続された後、映像信号の出力元機器として選択されていない状態（非アクティブ状態）から出力元機器として選択された状態（アクティブ状態）に変化したタイミングで相互認証処理が行われるので、非アクティブ状態からアクティブ状態に変化した場合にも外部機器が有する性能に見合った画質の映像信号を映像信号出力機器から出力することができる。この結果、ユーザは、外部機器が有する性能に見合った画質の映像を視聴することができる。
【発明の効果】
【００１７】
本発明によれば、上記のように、出力元機器が外部機器に接続された後、映像信号の出力元機器として選択されていない状態から出力元機器として選択された状態に変化した場合にも、外部機器が有する性能に見合った画質の映像信号を出力することができる。
【図面の簡単な説明】
【００１８】
【図１】本発明の第１実施形態による音声映像出力システムの制御構成を示したブロック図である。
【図２】本発明の第１実施形態による音声映像出力システムにおいて、再生装置がテレビジョン装置に接続された際の再生装置の制御部の処理フローを示した図である。
【図３】本発明の第２実施形態による音声映像出力システムにおいて、再生装置がテレビジョン装置に接続された際の再生装置の制御部の処理フローを示した図である。
【図４】本発明の第３実施形態による音声映像出力システムにおいて、再生装置がテレビジョン装置に接続された際の再生装置の制御部の処理フローを示した図である。
【発明を実施するための形態】
【００１９】
以下、本発明を具体化した実施形態を図面に基づいて説明する。
【００２０】
（第１実施形態）
まず、図１を参照して、本発明の第１実施形態による音声映像出力システム１００の構造について説明する。なお、音声映像出力システム１００は、本発明の「映像出力システム」の一例である。
【００２１】
本発明の第１実施形態による音声映像出力システム１００は、図１に示すように、ＨＤＤレコーダからなる再生装置１０とテレビジョン装置３０とを備えている。また、再生装置１０とテレビジョン装置３０とは、ＨＤＭＩ規格に対応した接続ケーブル５０によって互いに接続されている。これにより、再生装置１０が再生するデジタル映像データの音声信号および映像信号が、接続ケーブル５０を介してテレビジョン装置３０に出力されるように構成されている。また、再生装置１０とは異なる他の接続機器９１および９２も、それぞれ、ＨＤＭＩ規格に対応した接続ケーブル５１および５２を介してテレビジョン装置３０に接続されており、これらの全ての機器を含んだ状態で音声映像出力システム１００が構築されている。なお、接続機器９１および９２は、制御構成上、再生装置１０と略同様の構成を有しているが、以下では、再生装置１０とテレビジョン装置３０との関係について主に説明する。なお、再生装置１０、接続機器９１および９２は、本発明の「映像信号出力機器」および「出力元機器」の一例である。また、テレビジョン装置３０は、本発明の「外部機器」の一例である。
【００２２】
再生装置１０は、制御部１１と、再生部１２と、ＯＳＤ部１３と、ＶＦＤ（蛍光表示管）部１４と、内部記憶装置１５と、主メモリ（ＲＡＭ）１６と、フラッシュメモリ（ＲＯＭ）１７と、通信部１８と、ＨＤＭＩ端子１９とを装置本体内に備えている。
【００２３】
制御部１１は、ＣＰＵからなり、制御プログラムを実行することにより再生装置１０の動作制御を担う役割を有する。再生部１２は、内部記憶装置１５に記憶されたデジタル映像データ（コンテンツデータ）を再生時に読み出す機能を有する。ＯＳＤ部１３は、再生部１２によって読み出された映像信号に、オンスクリーン情報を加算する機能を有する。ＶＦＤ部１４は、再生装置１０の前面パネル（図示せず）に取り付けられており、再生装置１０の状態を蛍光表示管により表示する機能を有する。内部記憶装置１５は、デジタル映像データを記憶する機能を有しており、ＨＤＤなどによって構成されている。
【００２４】
主メモリ１６は、制御プログラムが実行される際に用いられる制御上のパラメータを一時的に保存する作業用メモリとして用いられる。また、フラッシュメモリ１７には、制御部１１が実行する制御プログラムなどが格納されている。通信部１８は、デジタル映像データ（音声信号および映像信号）をデジタル信号としてテレビジョン装置３０に出力する機能と、テレビジョン装置３０とのＣＥＣ規格に基づいたＣＥＣ制御信号の通信（双方向通信）を行う機能とを有する。ＨＤＭＩ端子１９は、接続ケーブル５０を接続する接続端子の役割を有する。なお、ＣＥＣ制御信号は、本発明の「ＨＤＭＩ規格に基づく制御信号」の一例である。
【００２５】
また、テレビジョン装置３０は、図１に示すように、アンテナ６０を介してテレビジョン放送を受信するチューナ部３１と、入力信号切換部３２と、映像処理部３３と、音声処理部３４と、制御部３５と、ＯＳＤ部３６と、メモリ部３７と、通信部３８と、ＨＤＭＩ端子３９ａ〜３９ｃとを装置本体内に備えている。また、テレビジョン装置３０は、上述の構成要素に加えて、表示部４０とスピーカ部４１とを備えている。
【００２６】
入力信号切換部３２は、映像／音声信号の入力元をチューナ部３１または再生装置１０などの外部接続機器のいずれかに切り換える機能を有する。また、入力信号切換部３２は、チューナ部３１または再生装置１０（接続機器９１および９２）などの外部接続機器などからの入力信号を、映像処理部３３および音声処理部３４に送出する機能を有している。映像処理部３３および音声処理部３４は、それぞれ、入力信号切換部３２からの映像信号処理および音声信号処理を行う。これにより、映像信号は、映像処理部３３においてデジタル／アナログ（ＤＡ）変換処理が行われた後に表示部４０に出力される。また、音声信号は、音声処理部３４においてＤＡ変換処理が行われた後にスピーカ部４１から出力される。
【００２７】
制御部３５は、ＣＰＵからなり、制御プログラムを実行することによりテレビジョン装置３０の動作制御を担う役割を有する。ＯＳＤ部３６は、オンスクリーン情報を映像信号に加算して表示部４０に出力する機能を有する。メモリ部３７には、制御部３５が実行するテレビジョン装置３０の制御プログラムなどが書き換え不可の状態で格納されている。また、メモリ部３７には、制御プログラムが実行される際に使用される制御上のパラメータなどを一時的に保存する作業用メモリ領域が設けられている。通信部３８は、再生装置１０（接続機器９１および９２）などの外部接続機器からのデジタル映像データ（音声信号および映像信号）を受信する機能と、再生装置１０とのＣＥＣ規格に基づいたＣＥＣ制御信号の通信（双方向通信）を行う機能とを有する。ＨＤＭＩ端子３９ａ、３９ｂおよび３９ｃは、それぞれ、接続ケーブル５０、５１および５２を接続する接続端子の役割を有する。
【００２８】
上記した構成を有する音声映像出力システム１００においては、ＨＤＭＩ端子を介して互いに接続された機器間において以下のような制御（通信）が行われるように構成されている。すなわち、図１に示すように、再生装置１０とテレビジョン装置３０とが接続ケーブル５０により接続された際、再生装置１０およびテレビジョン装置３０は、互いに、通信部１８および３８を介してＣＥＣ制御信号を用いた相互通信を直ちに行うことにより、相手方の機器の状態を自動的に認識するように構成されている。この結果、テレビジョン装置３０側では、外部接続機器として再生装置１０が接続されたことを制御部３５により認識するとともに、再生装置１０側では、外部接続機器としてテレビジョン装置３０が接続されたことを制御部１１により認識する。なお、この点は、接続機器９１とテレビジョン装置３０との相互通信および接続機器９２とテレビジョン装置３０との相互通信でも同じである。
【００２９】
ここで、第１実施形態では、再生装置１０からテレビジョン装置３０に向けて送信されるＣＥＣ制御信号の中に、自己（再生装置１０）がテレビジョン装置３０側で映像信号の出力元機器として選択された状態（アクティブ状態）であるか否かを問い合わせるコマンドが含まれている。具体的には、「Ａｃｔｉｖｅ＿Ｓｏｕｒｃｅ」というＣＥＣコマンドが使用される。そして、テレビジョン装置３０から再生装置１０への応答信号の中に、再生装置１０がテレビジョン装置３０側で映像信号の出力元機器として選択されたアクティブ状態であるという旨を通知する信号が含まれていることが制御部１１により認識（判断）された場合に、再生装置１０とテレビジョン装置３０との間のＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）認証の処理が実行されるように構成されている。言い換えると、テレビジョン装置３０から再生装置１０への応答信号の中に、再生装置１０がテレビジョン装置３０側で映像信号の出力元機器として選択されたアクティブ状態であるという旨を通知する信号が含まれていない場合には、再生装置１０とテレビジョン装置３０との間のＨＤＣＰ認証の処理が一切実行されないように構成されている。なお、ＨＤＣＰ認証は、本発明の「相互認証」の一例である。
【００３０】
このように、音声映像出力システム１００では、再生装置１０とテレビジョン装置３０とが接続ケーブル５０により接続されたとしても、再生装置１０がテレビジョン装置３０に対して非アクティブ状態からアクティブ状態となるまでは、ＨＤＣＰ認証が行われない。したがって、たとえば、接続機器９１がテレビジョン装置３０に対してアクティブ状態であり、接続機器９１からのデジタル映像データ（音声信号および映像信号）がテレビジョン装置３０に出力されている場合や、再生装置１０、接続機器９１および９２の全てがアクティブ状態でなくテレビジョン装置３０がチューナ部３１を用いて受信したテレビジョン放送を出力表示している場合には、再生装置１０（または接続機器９２）とテレビジョン装置３０とが接続ケーブル５０（５２）により接続されていても（あるいは、接続された履歴を有していても）、再生装置１０（または接続機器９２）がテレビジョン装置３０に対してアクティブ状態となるまではＨＤＣＰ認証が行われない。
【００３１】
また、第１実施形態では、再生装置１０がテレビジョン装置３０側で映像信号の出力元機器として選択されたアクティブ状態である場合に行われるＨＤＣＰ認証が成功しなかったことに基づいて、テレビジョン装置３０に出力される映像信号が調整されるように構成されている。すなわち、テレビジョン装置３０に出力される映像信号を再生装置１０側で調整することにより、再生装置１０とテレビジョン装置３０との間のＨＤＣＰ認証を成功させる映像信号条件を探し出す制御が実行されるように構成されている。
【００３２】
具体的には、テレビジョン装置３０に出力される映像信号のビット数（色深度）および解像度を以下の手法に基づいて調整する制御が行われることによって再生装置１０とテレビジョン装置３０との間のＨＤＣＰ認証を成功させる映像信号条件が探し出されるように構成されている。
【００３３】
すなわち、再生装置１０とテレビジョン装置３０との間のＨＤＣＰ認証が成功するまで、色深度（ビット数）および解像度を段階的に変更しながら各々の変更値のもとでＨＤＣＰ認証の試行が都度繰り返される。この際、第１実施形態では、先にビット数を上限値である「１６ビット」から下限値となる「８ビット」まで段階的に低下させた状態でＨＤＣＰ認証が成功しない場合に、ビット数を下限値の「８ビット」に維持した状態で、解像度を上限値である「１０８０ｐ」から下限値となる「４８０ｐ」まで段階的に低下させながら各変更値の組み合わせ（映像信号条件）のもとでＨＤＣＰ認証の試行を都度繰り返すように構成されている。なお、上記した「１６ビット」は、６５５３６階調のいわゆるディープカラーを表示可能な信号形式であり、「８ビット」は、いわゆる２５６階調の表示色に対応した信号形式である。なお、８ビットは、本発明の「第１の値」の一例であり、４８０ｐは、本発明の「第２の値」の一例である。
【００３４】
また、第１実施形態では、ビット数を「８ビット」に維持した状態で解像度を「４８０ｐ」まで低下させた状態でＨＤＣＰ認証が成功した場合に、再度、「８ビット」に変更されていたビット数を「８ビット」から「１０ビット」、「１２ビット」へと段階的に上昇させながら各変更値の組み合わせ（映像信号条件）のもとでＨＤＣＰ認証の試行を都度繰り返すように構成されている。つまり、ＨＤＣＰ認証が成功した時点で、再度ビット数を上昇させて、より高いビット数でも認証が成功する映像信号条件を見付け直すことが行われる。
【００３５】
また、上記の手法でＨＤＣＰ認証を試行した結果、ＨＤＣＰ認証が成功しなかった場合には、ＶＦＤ部１４にＨＤＣＰ認証が不成功であることを示す「認証エラー表示」が表示されるように構成されている。したがって、ユーザは、テレビジョン装置３０を操作して再生装置１０を選択したとしても、ＶＦＤ部１４に認証エラー表示が表示されていることを視認して、音声映像出力システム１００の状態を把握することが可能となる。
【００３６】
また、ＨＤＣＰ認証が成功する組み合わせ（映像信号条件）が決定された場合、再生装置１０とテレビジョン装置３０との間で固有に決定された「ビット数」および「解像度」は、主メモリ１６に記憶されるように構成されている。これにより、別な機会に、再生装置１０がテレビジョン装置３０に対してアクティブ状態となった際に、ＣＥＣ信号による相互自動認識において以前と同じＥＤＩＤ（Ｅｘｔｅｎｄｅｄ  Ｄｉｓｐｌａｙ  Ｉｄｅｎｔｉｆｉｃａｔｉｏｎ  ｄａｔａ）を有する外部機器（テレビジョン装置３０）が接続されたことが再生装置１０側で認識された場合、再生装置１０の主メモリ１６からこの組み合わせ（映像信号条件）が呼び出されるように構成されている。この場合、あらためてのＨＤＣＰ認証処理は実行されない。このようにして、第１実施形態による音声映像出力システム１００（図１参照）は構成されている。
【００３７】
次に、図１および図２を参照して、第１実施形態による音声映像出力システム１００において再生装置１０におけるテレビジョン装置３０への接続時の制御部１１の制御処理フローについて説明する。なお、以下では、再生装置１０とテレビジョン装置３０とが接続ケーブル５０により互いに接続された時点から開始される処理フローについて説明する。
【００３８】
図２に示すように、まず、ステップＳ１では、再生装置１０（図１参照）とテレビジョン装置３０（図１参照）とが接続ケーブル５０（図１参照）により互いに接続された際、制御部１１（図１参照）の指令に基づき、再生装置１０から所定のＣＥＣ制御信号がテレビジョン装置３０に送信される。そして、再生装置１０では、テレビジョン装置３０からの応答信号に基づいて、テレビジョン装置３０へ映像信号を出力する際のビット数（色深度）および解像度を、ＥＤＩＤ（Ｅｘｔｅｎｄｅｄ  Ｄｉｓｐｌａｙ  Ｉｄｅｎｔｉｆｉｃａｔｉｏｎ  ｄａｔａ）で対応している最高の値に設定する。たとえば、ステップＳ１では、テレビジョン装置３０側基準での最高の値として、ビット数が「１６ビット」でかつ解像度が「１０８０ｐ」の映像信号条件が仮設定される。
【００３９】
その後、第１実施形態では、ステップＳ２において、制御部１１の指令に基づき、自己（再生装置１０）がテレビジョン装置３０側で映像信号の出力元機器として選択されたアクティブ状態であるか否かが制御部１１により判別される。具体的な制御動作としては、制御部１１の指令に基づき、再生装置１０から自己（再生装置１０）がテレビジョン装置３０側で映像信号の出力元機器として選択されたアクティブ状態であるか否かを問い合わせるＣＥＣ制御信号がテレビジョン装置３０に送信される。したがって、このＣＥＣ制御信号を受信したテレビジョン装置３０では、応答信号を再生装置１０に対して送信する。そして、通信部１８を介してテレビジョン装置３０からの応答信号（ＣＥＣ信号）を受信した再生装置１０においては、この応答信号に基づいて、自己（再生装置１０）がテレビジョン装置３０側で映像信号の出力元機器として選択されたアクティブ状態であるか否かが判別される。
【００４０】
ステップＳ２において、テレビジョン装置３０からの応答信号に基づき自己（再生装置１０）がテレビジョン装置３０側で映像信号の出力元機器として選択されたアクティブ状態でないと判断された場合（Ｎｏ判定）、本制御は終了される。すなわち、再生装置１０とテレビジョン装置３０との間のＨＤＣＰ認証の処理は何ら行われない。
【００４１】
また、ステップＳ２において、テレビジョン装置３０からの応答信号に基づき自己（再生装置１０）がテレビジョン装置３０側で映像信号の出力元機器として選択されたアクティブ状態であると判断された場合（Ｙｅｓ判定）、ステップＳ３において、再生装置１０とテレビジョン装置３０との間のＨＤＣＰ認証の処理が実行（試行）される。なお、第１実施形態では、ステップＳ３におけるＨＤＣＰ認証の試行は、１０回繰り返される。つまり、１回試行しても認証されない場合もあり、認証が成功するまで最大で１０回のリトライ処理が繰り返される。
【００４２】
そして、ステップＳ４では、ＨＤＣＰ認証が成功したか否かが制御部１１により判断されるとともに、ＨＤＣＰ認証が成功したと判断された場合には、ステップＳ１８において、現時点で仮設定されている映像信号に含まれるビット数（＝１６ビット）および解像度（＝１０８０ｐ）を主メモリ１６（図１参照）に正式に記憶して、本制御が終了される。すなわち、再生装置１０においては、「ビット数」および「解像度」は、ステップＳ１で予め設定したテレビジョン装置３０が有するＥＤＩＤで対応している最高の値に確定される。
【００４３】
また、ステップＳ４において、ＨＤＣＰ認証が成功しなかったと制御部１１により判断された場合には、ステップＳ５以降の処理フローへ進む。
【００４４】
具体的には、ステップＳ５では、現在のビット数が下限値（＝８ビット）であるか否かが判断される。ステップＳ５において現在のビット数が下限値（８ビット）まで達していないと判断された場合、ステップＳ６において、ビット数を１段階だけ低下させる。たとえば、現在ビット数が１６ビットであったとすると、ビット数を「１６ビット」から「１２ビット」に落とす変更処理が行われる。そして、ステップ７において、ビット数（＝１２ビット）および解像度（＝１０８０ｐ）の条件での再生装置１０とテレビジョン装置３０との間のＨＤＣＰ認証の試行が行われる。この場合も、ＨＤＣＰ認証の試行は、認証が成功するまで最大で１０回のリトライ処理が繰り返される。
【００４５】
そして、ステップＳ８では、このＨＤＣＰ認証が成功したか否かが制御部１１により判断されるとともに、ＨＤＣＰ認証が成功したと判断された場合には、ステップＳ１８において、現在の（変更後の最新の）「ビット数（１２ビット）」および「解像度（１０８０ｐ）」を主メモリ１６に記憶して、本制御が終了される。また、ステップＳ８において、再生装置１０とテレビジョン装置３０との間のＨＤＣＰ認証が成功しなかったと判断された場合には、ステップＳ５までフローが戻されて、ステップＳ５〜Ｓ８の処理が同様に繰り返される。すなわち、ビット数が「１２ビット」から「１０ビット」に落とされてＨＤＣＰ認証が試行される（リトライ数＝最大１０回）。そして、この場合でもＨＤＣＰ認証が不成功なら、さらにビット数が「１０ビット」から「８ビット」に落とされてＨＤＣＰ認証が試行される（リトライ数＝最大１０回）。もし、ステップＳ８において８ビットの状態でＨＤＣＰ認証が成功したと判断された場合には、ステップＳ１８において、「ビット数（８ビット）」および「解像度（１０８０ｐ）」を主メモリ１６に記憶して、本制御が終了される。
【００４６】
また、ステップＳ５において現在のビット数が下限値（＝８ビット）であると判断された場合、処理フローはステップＳ９へと進む。
【００４７】
ステップＳ９においては、現在の「解像度」が下限値（＝４８０ｐ）か否かが判断される。ステップＳ９において現在の解像度が下限値（４８０ｐ）まで達していない（落とされていない）と判断された場合、ステップＳ１０において、解像度を１段階だけ低下させる。たとえば、現在「１０８０ｐ」であったとすると、「１０８０ｐ」から「１０８０ｉ」に落とす変更処理が行われる。そして、ステップ１１において、ビット数（＝８ビット）および解像度（＝１０８０ｉ）の条件での再生装置１０とテレビジョン装置３０との間のＨＤＣＰ認証の試行が行われる。この場合も、ＨＤＣＰ認証の試行は、認証が成功するまで最大で１０回のリトライ処理が繰り返される。
【００４８】
そして、ステップＳ１２では、このＨＤＣＰ認証が成功したか否かが制御部１１により判断されるとともに、ＨＤＣＰ認証が成功したと判断された場合には、ステップＳ１３以降の処理フローへ進む。
【００４９】
具体的には、ステップＳ１３では、現在のビット数が上限値（＝１６ビット）であるか否かが判断される。ステップＳ１３において現在のビット数が上限値（１６ビット）であると判断された場合には、ステップＳ１８において、現在の（変更後の最新の）「ビット数」および「解像度」を主メモリ１６に記憶して、本制御が終了される。また、ステップＳ１３において現在のビット数が上限値（１６ビット）でないと判断された場合、ステップＳ１４において、ビット数を１段階だけ上昇させる。たとえば、ビット数が現在８ビットであったとすると、ビット数を「８ビット」から「１０ビット」に増加させる処理が行われる。そして、ステップＳ１５において、ビット数（＝１０ビット）および解像度（＝１０８０ｉ）の条件での再生装置１０とテレビジョン装置３０との間のＨＤＣＰ認証の試行が行われる。この場合も、ＨＤＣＰ認証の試行は、認証が成功するまで最大で１０回のリトライ処理が繰り返される。
【００５０】
そして、ステップＳ１６では、このＨＤＣＰ認証が成功したか否かが制御部１１により判断されるとともに、ＨＤＣＰ認証が成功したと判断された場合には、ステップＳ１３までフローが戻されて、ステップＳ１３〜Ｓ１６の処理が同様に繰り返される。
【００５１】
また、ステップＳ１６において、ＨＤＣＰ認証が成功しなかった判断された場合には、ステップＳ１７において、ビット数を１段階だけ低下させる。すなわち、試行した「１０ビット」を先の「８ビット」に戻す処理が行われる。これにより、ＨＤＣＰ認証が成功する場合の「ビット数」および「解像度」の組み合わせが確定される。そして、ステップＳ１８に進み、現在の（変更後の最新の）「ビット数（８ビット）」および「解像度（１０８０ｉ）」を主メモリ１６に記憶して、本制御が終了される。
【００５２】
また、ステップＳ１２において、再生装置１０とテレビジョン装置３０との間のＨＤＣＰ認証が成功しなかったと判断された場合には、ステップＳ９までフローが戻されて、ステップＳ９〜Ｓ１２の処理が同様に繰り返される。すなわち、解像度が「１０８０ｉ」から「７２０ｐ」に落とされてＨＤＣＰ認証が試行される（リトライ数＝最大１０回）。そして、この場合でもＨＤＣＰ認証が不成功なら、さらに解像度が「７２０ｐ」から「４８０ｐ」に落とされてＨＤＣＰ認証が試行される（リトライ数＝最大１０回）。もし、ステップＳ１２において解像度が「４８０ｐ」の状態でＨＤＣＰ認証が成功したと判断された場合には、ステップＳ１８において、「ビット数（８ビット）」および「解像度（４８０ｐ）」を主メモリ１６に記憶して、本制御が終了される。
【００５３】
また、ステップＳ９〜Ｓ１２の処理フローを繰り返して解像度を段階的に低下させたにも関わらずＨＤＣＰ認証が成功する解像度が見付からなかった場合には、ステップＳ９において、現在の解像度が下限値の「４８０ｐ」であると判断される。この場合、ステップＳ１９に進み、制御部１１の指令に基づいて「認証エラー表示」がＶＦＤ部１４に表示される。そして、本制御が終了される。第１実施形態では、このようにして、本制御が実行される。
【００５４】
第１実施形態では、上記のように、テレビジョン装置３０側で映像信号の出力元機器として選択された状態（アクティブ状態）であるか否かを判別して出力元機器として選択された状態（アクティブ状態）であると判断した場合に、再生装置１０とテレビジョン装置３０との間のＨＤＣＰ認証処理を行う制御部１１を備えることによって、再生装置１０が確実にテレビジョン装置３０に対する出力元機器となったアクティブ状態で機器間のＨＤＣＰ認証処理が行われるので、ＨＤＣＰ認証とともに再生装置１０から出力される映像信号のビット数（色深度）や解像度などの諸設定値を、実際にアクティブ状態となった条件下でのテレビジョン装置３０の性能に基づいて最適な値となるように確実に設定することができる。すなわち、再生装置１０（出力元機器）がテレビジョン装置３０に接続ケーブル５０を介して接続された後、映像信号の出力元機器として選択されていない非アクティブ状態から出力元機器として選択されたアクティブ状態に変化したタイミングでＨＤＣＰ認証処理が行われるので、非アクティブ状態からアクティブ状態に変化した場合にもテレビジョン装置３０が有する性能に見合った画質の映像信号を再生装置１０から出力することができる。この結果、ユーザは、テレビジョン装置３０が有する表示性能に見合った画質の映像を視聴することができる。
【００５５】
また、第１実施形態では、再生装置１０が出力元機器として選択された状態であると判断した場合に行われる再生装置１０とテレビジョン装置３０との間のＨＤＣＰ認証が成功しなかったことに基づいて、テレビジョン装置３０に出力される映像信号を調整する制御を行うように制御部１１を構成する。これにより、再生装置１０が出力元機器として選択された状態において再生装置１０からの映像信号を調整することにより再生装置１０（出力元機器）とテレビジョン装置３０との間のＨＤＣＰ認証を成功させる映像信号条件を容易に探し出すことができる。したがって、ユーザは、ＨＤＣＰ認証が成功した条件下でテレビジョン装置３０が有する表示性能を極力発揮させるように調整された映像信号に基づいて、テレビジョン装置３０から出力される映像を視聴することができる。
【００５６】
また、第１実施形態では、再生装置１０とテレビジョン装置３０との間のＨＤＣＰ認証が成功しない場合に、テレビジョン装置３０に出力される映像信号のビット数（色深度）および解像度を調整する制御を行うように制御部１１を構成する。これにより、映像信号に含まれるビット数および解像度を調整することにより、再生装置１０とテレビジョン装置３０との間のＨＤＣＰ認証を成功させるための映像信号条件を容易に探し出すことができる。
【００５７】
また、第１実施形態では、再生装置１０とテレビジョン装置３０との間のＨＤＣＰ認証が成功するまで、ビット数（色深度）および解像度を段階的に変更しながら各々の変更値のもとでＨＤＣＰ認証の試行を都度繰り返す制御を行うように制御部１１を構成する。そして、ビット数を「８ビット」まで低下させた状態でＨＤＣＰ認証が成功しない場合に、ビット数を「８ビット」に維持した状態で、解像度を「４８０ｐ」まで段階的に低下させながら各変更値のもとでＨＤＣＰ認証の試行を都度繰り返す制御を行うように制御部１１を構成する。これにより、映像信号に含まれるビット数および解像度を変更する際に、ビット数を「８ビット」まで低下させつつ解像度を「４８０ｐ」まで低下させながら、変更後のビット数と解像度との組み合わせにおいてその都度ＨＤＣＰ認証を試行させることができる。したがって、ビット数および解像度の双方を極力低下させる（より低い設定値へと落とす）ことなくＨＤＣＰ認証が成功する映像信号条件を探し出すことができる。
【００５８】
また、第１実施形態では、ビット数を「８ビット」に維持した状態で解像度を「４８０ｐ」まで低下させた状態でＨＤＣＰ認証が成功した場合に、再度、「８ビット」に変更されていたビット数を「８ビット」から段階的に上昇させながら各変更値のもとでＨＤＣＰ認証の試行を都度繰り返す制御を行うように制御部１１を構成する。これにより、ビット数が「８ビット」でありかつ解像度が「４８０ｐ」の組み合わせでＨＤＣＰ認証が一旦成功した映像信号条件から、再度、「８ビット」（ビット数）と「４８０ｐ」よりも高い値（より大きい解像度）との組み合わせでＨＤＣＰ認証が成功する別な映像信号条件（テレビジョン装置３０の性能を極力損ねない、より有利な映像信号条件）を探すことができる。したがって、「８ビット」（ビット数）と「４８０ｐ」よりも高い値（より大きい解像度）との組み合わせでＨＤＣＰ認証が成功した場合には、ビット数および解像度を極力低下させることのないより高精細な映像をテレビジョン装置３０から出力させることができる。
【００５９】
また、第１実施形態では、再生装置１０とテレビジョン装置３０とは、ＨＤＭＩ規格に基づいて通信可能に接続されており、再生装置１０が出力元機器として選択された状態であるか否かをＨＤＭＩ規格に基づくＣＥＣ制御信号（Ａｃｔｉｖｅ＿Ｓｏｕｒｃｅ信号）を用いて判別する制御を行うように制御部１１を構成する。これにより、ＨＤＭＩ規格に基づくＣＥＣ信号を適切に利用して、再生装置１０がテレビジョン装置３０側で映像信号の出力元機器として選択されたアクティブ状態であるか否かを容易に判別することができる。
【００６０】
（第２実施形態）
図１および図３を参照して、第２実施形態について説明する。第２実施形態では、上記第１実施形態と異なり、映像信号の調整を行う際に、映像信号が３次元映像信号であった場合には３次元映像信号を２次元映像信号に変更してＨＤＣＰ認証が再試行される例について説明する。なお、図中において、上記第１実施形態と同様の構成には、第１実施形態と同じ符号を付して図示している。
【００６１】
本発明の第２実施形態による再生装置１０の制御処理フローにおいては、図３に示すように、上記第１実施形態で説明したステップＳ５におけるＹｅｓ判定の場合に処理がステップＳ９に進むまでの間に、映像信号が３次元映像信号であった場合には３次元映像信号を２次元映像信号に変更してＨＤＣＰ認証を再試行する処理フローが挿入されるように構成されている。
【００６２】
したがって、上記第１実施形態の処理フローと同様に、ステップＳ１〜Ｓ８までの処理が行われた後、ステップＳ５において現在のビット数が下限値であると判断された場合、第２実施形態では、ステップＳ２１において、現在の映像信号が３次元映像信号であるか否かが制御部１１により判断される。
【００６３】
ステップＳ２１において現在の映像信号が３次元映像信号であると判断された場合、ステップＳ２２において、３次元映像信号から２次元映像信号に変更処理が行われる。そして、ステップ２３において、再生装置１０とテレビジョン装置３０との間のＨＤＣＰ認証の試行が行われる（リトライ数＝最大１０回）。
【００６４】
そして、ステップＳ２４では、このＨＤＣＰ認証が成功したか否かが制御部１１により判断されるとともに、ＨＤＣＰ認証が成功したと判断された場合には、ステップＳ１８において、現在の（変更後の最新の）「ビット数」と、ステップＳ１で元々設定されたＥＤＩＤで対応している「解像度の上限値」と、ステップＳ２４で判定された２次元映像信号で出力することとを主メモリ１６に記憶して、本制御が終了される。
【００６５】
また、ステップＳ２４において、再生装置１０とテレビジョン装置３０との間のＨＤＣＰ認証が成功しなかったと判断された場合には、上記第１実施形態で説明したステップＳ９に処理フローが進められて、以降は上記第１実施形態と同様の処理が行われる。また、ステップＳ２１において現在の映像信号が３次元映像信号でない（２次元映像信号である）と判断された場合も、上記第１実施形態で説明したステップＳ９に処理フローが進められる。なお、第２実施形態では、上記第１実施形態で説明したステップＳ１３〜Ｓ１７の処理（ビット数を再び段階的に上昇させて、組み合わせを見付ける処理フロー）を行わない。第２実施形態では、ビット数を調整した後、解像度を調整することよりも、映像信号の形式を調べて３次元映像信号である場合には２次元映像信号に変更してＨＤＣＰ認証を試行することが優先される。もしこの条件でＨＤＣＰ認証が成功したならば、解像度に手をつけることなく最高の値（たとえば１０８０ｐ）を維持したままで、実際の映像信号を出力することが可能となる。
【００６６】
なお、第２実施形態による再生装置１０のその他の構成については、上記第１実施形態と同様である。
【００６７】
第２実施形態では、上記のように、映像信号が３次元映像信号を含んでいる場合、ビット数を「８ビット」まで低下させた状態でＨＤＣＰ認証が成功しない場合において、３次元映像信号がテレビジョン装置３０に出力される状態であると判断した際、ビット数を「８ビット」に維持した状態で解像度を「４８０ｐ」まで段階的に低下させながら各変更値のもとでＨＤＣＰ認証の試行を都度繰り返す制御（ステップＳ９〜Ｓ１２）を行う前に、３次元映像信号を２次元映像信号に変更した状態でＨＤＣＰ認証を試行させる制御（ステップＳ２２〜Ｓ２４）を行うように制御部１１を構成する。これにより、解像度を変更することなく３次元映像信号を２次元映像信号に変更するだけでＨＤＣＰ認証が成功する映像信号条件を探し出すことができる。すなわち、３次元映像信号を２次元映像信号に変更したことでＨＤＣＰ認証が成功した場合には、ビット数を「１２ビット」や「１０ビット」などに低下させても解像度を「１０８０ｐ」の上限値から低下させることなく高精細な映像をテレビジョン装置３０から出力させることができる。なお、第２実施形態のその他の効果は、上記第１実施形態の効果と同様である。
【００６８】
（第３実施形態）
図１および図４を参照して、第３実施形態について説明する。第３実施形態では、上記第１実施形態における処理フローに、上記第２実施形態における映像信号の３次元映像信号から２次元映像信号への変更処理が付加された例について説明する。なお、図中において、上記第１実施形態と同様の構成には、第１実施形態と同じ符号を付して図示している。
【００６９】
本発明の第３実施形態による再生装置１０の制御処理フローにおいては、図４に示すように、上記第２実施形態で実行されるステップＳ１２の処理フローの後に、上記第１実施形態で実行されるステップＳ１３〜Ｓ１７の処理フロー（ビット数を再び段階的に上昇させて、ＨＤＣＰ認証が成功する際の映像信号条件を決定する処理フロー）を行うように構成されている。
【００７０】
すなわち、第３実施形態では、ビット数を調整した後、解像度を調整することよりも、映像信号の形式を調べて３次元映像信号である場合には２次元映像信号に変更してＨＤＣＰ認証を試行することが優先され、２次元映像信号に変更してもＨＤＣＰ認証が成功しない場合に、解像度を調整して認証成功時の映像信号条件（組み合わせ）を仮決定しておき、再度、ビット数を上昇させてより高いビット数（色深度）でも認証が成功する映像信号条件を探し出すように処理フローが構成されている。
【００７１】
なお、第３実施形態による再生装置１０のその他の構成については、上記第１実施形態と同様である。
【００７２】
第３実施形態では、上記のように、ビット数を調整した後、映像信号の形式を調べて３次元映像信号である場合には２次元映像信号に変更してＨＤＣＰ認証を試行することが優先されるように制御部１１を構成する。そして、２次元映像信号に変更してもＨＤＣＰ認証が成功しない場合に、解像度を調整して認証成功時の映像信号条件（組み合わせ）を仮決定しておき、再度、ビット数を上昇させてより高いビット数（色深度）でも認証が成功する映像信号条件を探すように制御部１１を構成する。このように、解像度を「１０８０ｐ」の上限値に維持したまま３次元映像信号を２次元映像信号に変更するだけでＨＤＣＰ認証が成功する映像信号条件を探すことができ、たとえ認証が不成功であってもビット数を下限値に固定することなく適切な値に調整してＨＤＣＰ認証処理を試行することができるので、テレビジョン装置３０の性能を極力損ねないより有利な映像信号条件を容易に探すことができる。なお、第３実施形態のその他の効果は、上記第１および第２実施形態の効果と同様である。
【００７３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７４】
たとえば、上記第１〜第３実施形態では、本発明の「映像信号出力機器」の一例としてＨＤＤレコーダからなる再生装置１０を示したが、本発明はこれに限られない。再生装置１０には、ＤＶＤレコーダまたはＢＤレコーダが適用されてもよいし、テレビジョン装置３０などの映像表示装置に映像信号を出力することが可能なＳＴＢ（セットトップボックス）などが適用されてもよい。また、本発明の「外部機器」の一例としてテレビジョン装置３０を示したが、本発明はこれに限られない。本発明の「外部機器」として、ＰＣのモニタなどの映像表示装置が適用されてもよい。
【００７５】
また、上記第１〜第３実施形態では、再生装置１０（接続機器９１および９２）とテレビジョン装置３０とがＨＤＭＩ規格による接続ケーブル５０（５１および５２）を用いて接続されて互いにＣＥＣ制御信号が送受信可能に構成された例について示したが、本発明はこれに限られない。本発明の「映像信号出力機器」と「外部機器」とは、ＨＤＭＩ規格以外の規格によって通信可能に接続されていてもよい。
【００７６】
また、上記第１〜第３実施形態では、再生装置１０とテレビジョン装置３０とが接続された際に再生装置１０が出力元機器として選択されたアクティブ状態であるか否かを問い合わせるＣＥＣコマンドが再生装置１０からテレビジョン装置３０へ送信されるとともに、この問い合わせ結果をテレビジョン装置３０から受信してアクティブ状態の有無を判断した例について示したが、本発明はこれに限られない。本発明では、アクティブ状態の有無を再生装置１０側から問い合わせることなく、再生装置１０とテレビジョン装置３０とが接続された段階でテレビジョン装置３０から送信されてくるＣＥＣ信号になどに基づいて再生装置１０のテレビジョン装置３０に対するアクティブ状態の有無を判別するように構成されていてもよい。
【００７７】
また、上記第１および第３実施形態では、ビット数（色深度）および解像度を変更して再生装置１０とテレビジョン装置３０との間のＨＤＣＰ認証を繰り返し試行する際、まずビット数を段階的に変更した後、解像度を段階的に変更した例について示したが、本発明はこれに限られない。本発明では、解像度を先に段階的に変更した後、ビット数を段階的に変更して映像信号条件を探し出すように構成していてもよい。また、この場合、解像度およびビット数の順に認証成功時の組み合わせを仮決定しておき、再度、ビット数を上昇させてより高いビット数（色深度）でも認証が成功する映像信号条件を探すことが好ましい。
【００７８】
また、上記第２および第３実施形態では、ビット数（色深度）を変更（調整）する処理と、解像度を変更（調整）する処理との間に、映像信号が３次元映像信号であると判断された場合に３次元映像信号から２次元映像信号に変更する処理が行われるように制御処理フローを構成した例について示したが、本発明はこれに限られない。本発明では、色深度（ビット数）および解像度の少なくとも一方を段階的に変更しながら各々の変更値のもとで相互認証の試行を都度繰り返す前に、３次元映像信号を２次元映像信号に変更した状態で相互認証を試行させるように制御処理フローを構成してもよい。
【００７９】
また、上記第１〜第３実施形態では、再生装置１０に本発明を適用した例について示したが、本発明はこれに限られない。すなわち、再生装置１０と同様に接続ケーブル５１を介してテレビジョン装置３０に接続される接続機器９１および接続ケーブル５２を介してテレビジョン装置３０に接続される接続機器９２に対しても、本発明を適用してもよい。
【００８０】
また、上記第１〜第３実施形態では、本発明の「第１の値」がビット数の下限値である８ビットであり、本発明の「第２の値」が４８０ｐであるように設定した例について示したが、本発明はこれに限られない。本発明の「第１の値」は８ビット以外の１０ビットなどでもよい。また、本発明の「第２の値」は４８０ｐ以外のたとえば５７６ｐでもよい。
【００８１】
また、上記第１〜第３実施形態では、ＨＤＣＰ認証における試行回数（リトライ回数）を最大１０回に設定した例について示したが、本発明はこれに限られない。試行回数は、５回でもよいし、１５回、２０回などでもよい。ＨＤＣＰ認証処理に要する時間を考慮して適切な回数を設定することが好ましい。
【００８２】
また、上記第１〜第３実施形態では、説明の便宜上、再生装置１０の制御部１１の制御処理を、処理フローに沿って順番に処理を行うフロー駆動型のフローチャートを用いて説明したが、本発明はこれに限られない。本発明では、制御部１１の制御処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８３】
１０  再生装置（映像信号出力機器、出力元機器）
１１  制御部
１８  通信部
３０  テレビジョン装置（外部機器）
９１、９２  接続機器（映像信号出力機器、出力元機器）
１００  音声映像出力システム（映像出力システム）
【図１】
2014045326.tif 000003
【図２】
2014045326.tif 000004
【図３】
2014045326.tif 000005
【図４】
2014045326.tif 000006